Podtech/llm-jp-corpus-v4-ja_patent huggingface dataset:
【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
鍋内の水を排水する排水管を備える炊飯器であって、
前記排水管は、前記鍋内で上下移動可能に構成され、
前記排水管の下端には、前記鍋の底と対向する位置に排水口が設けられている、炊飯器。
【請求項２】
前記鍋内で洗米する洗米部を備え、
前記排水管は、前記洗米部の内部に配置され、
前記洗米部は、前記排水管とともに前記鍋内で上下移動可能に構成されている、請求項１に記載の炊飯器。
【請求項３】
前記排水管と接続する排水接続部と、
前記排水接続部と接続する上下駆動ギアと、
前記上下駆動ギアに接続されるギア駆動源と、を備え、
前記排水管は、前記ギア駆動源による前記上下駆動ギアの回転に伴って前記排水接続部が上下移動することで上下移動する、請求項１又は２に記載の炊飯器。
【請求項４】
前記排水管は、洗米時に下方に移動し、洗米終了後、上方に移動する、請求項１から３のいずれか一項に記載の炊飯器。
【請求項５】
前記洗米部は、回転して米を撹拌する撹拌羽根と、上下方向に延在し前記撹拌羽根と接続して前記撹拌羽根とともに回転する管状の洗米管と、を有し、
前記排水管は、前記洗米管内に挿入され前記鍋内の水を排水する、請求項２に記載の炊飯器。
【請求項６】
管状に形成されて前記排水管と接続して前記排水管からの水を排水する排水接続部と、
前記排水接続部と接続する上下駆動ギアと、
前記洗米部と接続する回転駆動ギアと、
前記上下駆動ギアと前記回転駆動ギアとに接続されるギア駆動源と、を備え、
前記排水管及び前記排水管に接続する前記洗米部は、前記ギア駆動源による前記上下駆動ギアの回転に伴って前記排水接続部が上下移動することで上下移動し、
前記洗米部は、前記ギア駆動源による前記回転駆動ギアの回転に伴って回転する、請求項５に記載の炊飯器。
【請求項７】
前記洗米管が上下移動可能に挿入され前記洗米管の外周部と接続して、前記回転駆動ギアの回転に伴って回転する接続管を備え、
前記洗米管は、前記接続管の回転に伴って回転し、
前記接続管及び前記排水接続部は、前記鍋の開口を覆う鍋蓋よりも上方に設けられ、
前記洗米部は、前記接続管に着脱可能に取り付けられ、
前記排水管は、前記排水接続部に着脱可能に取り付けられる、請求項６に記載の炊飯器。
【請求項８】
給水弁を有する給水路と前記排水管とに接続されて水が溜められ、溜められた水を排水する排水路と接続するタンクと、
前記タンクの水を排水するポンプと、
前記給水弁の開閉及び前記ポンプの駆動を制御する制御部と、を備え、
前記制御部は、前記給水弁を開いて給水を開始して、前記タンク内に予め決められた水が溜まったとき前記給水弁を閉じ、その後前記ポンプを駆動させることで、前記鍋内の水を排水する、請求項１から７のいずれか一項に記載の炊飯器。
【請求項９】
前記排水管と前記タンクとを接続する部分の最大高さは、前記排水路の最大高さよりも高くなるように構成される、請求項８に記載の炊飯器。
【請求項１０】
前記鍋内への給水を行う鍋給水弁を有し、
前記制御部は、前記鍋給水弁の開閉を制御し、前記給水弁を開いて前記タンクに予め決められた水を溜めた後、前記鍋給水弁を開いて前記鍋内への給水を行う、請求項８又は９に記載の炊飯器。
【請求項１１】
前記排水管には、前記鍋内の水を排水する排水口が設けられ、
前記排水口には、前記排水口の開閉を行う排水弁が設けられる、請求項１から１０のいずれか一項に記載の炊飯器。
【請求項１２】
前記排水弁の開閉を駆動する弁駆動源と、
前記排水管内において管軸方向に延びて前記排水弁及び前記弁駆動源に接続し、前記弁駆動源によって管軸方向に移動することで前記排水弁の開閉を駆動する駆動軸と、
を備え、
前記排水弁は、前記排水管内の前記駆動軸に対して着脱可能に設けられる、請求項１１に記載の炊飯器。
【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
ハウジングと、
前記ハウジング内で回転軸を前方に向けて収容されるモータと、
前記モータにより回転駆動し、前記ハウジングから突出してミキシングブレードを着脱可能な最終出力軸と、
前記回転軸の回転により回転するファンと、
前記ハウジングの下部に配置されるバッテリー装着部と、を含み、
前記ハウジングにおける前記モータの下方で側面を除く所定領域に、前記ファンの回転により外気を吸引する吸気口が設けられていることを特徴とする撹拌機。
【請求項２】
前記ハウジングにおける前記吸気口の上方には、前記ファンの回転により吸引された空気の排気口が設けられていることを特徴とする請求項１に記載の撹拌機。
【請求項３】
前記ハウジングの内部において、前記吸気口と前記排気口との間には、第１の仕切リブが形成されていることを特徴とする請求項２に記載の撹拌機。
【請求項４】
前記バッテリー装着部には、制御回路基板が配置されており、
前記制御回路基板と前記吸気口との間には、第２の仕切リブが形成されていることを特徴とする請求項１乃至３の何れかに記載の撹拌機。
【請求項５】
前記モータは、ステータと、前記ステータに対して回転可能なロータと、を有し、
前記ロータの前方には、ファンが配置されており、
前記排気口は、前記ファンの後方に配置されていることを特徴とする請求項２又は３に記載の撹拌機。
【請求項６】
前記ハウジング内で前記第２の仕切リブの後側には、前記モータと前記制御回路基板とを電気的に接続するリード線の配線空間が形成されていることを特徴とする請求項４に記載の撹拌機。
【請求項７】
前記ハウジングは、前記モータを収容する筒状のモータ収容部を有すると共に、前記モータ収容部の後部に、ループ状のハンドルを連設してなり、前記ハンドルの下部に前記バッテリー装着部が配置されて、前記ハンドルにおける前記モータ収容部と前記バッテリー装着部とを連結する連結部に、前記吸気口が形成されていることを特徴とする請求項１乃至６の何れかに記載の撹拌機。
【請求項８】
前記吸気口又は前記排気口は、前記ハウジングの前面に設けられる一方、前記ハウジングの前方にはガード板が装着されて、前記吸気口又は前記排気口の形成領域の少なくとも一部は、正面視で前記ガード板で覆われていることを特徴とする請求項１乃至７の何れかに記載の撹拌機。
【請求項９】
前記バッテリー装着部には、バッテリーパックが装着されていることを特徴とする請求項１乃至８の何れかに記載の撹拌機。
【手続補正２】
【補正対象書類名】明細書
【補正対象項目名】０００６
【補正方法】変更
【補正の内容】
【０００６】
上記目的を達成するために、請求項１に記載の発明は、ハウジングと、ハウジング内で回転軸を前方に向けて収容されるモータと、モータにより回転駆動し、ハウジングから突出してミキシングブレードを着脱可能な最終出力軸と、回転軸の回転により回転するファンと、ハウジングの下部に配置されるバッテリー装着部と、を含み、ハウジングにおけるモータの下方で側面を除く所定領域に、ファンの回転により外気を吸引する吸気口が設けられていることを特徴とする。
請求項２に記載の発明は、上記構成において、ハウジングにおける吸気口の上方には、ファンの回転により吸引された空気の排気口が設けられていることを特徴とする。
請求項３に記載の発明は、上記構成において、ハウジングの内部において、吸気口と排気口との間には、第１の仕切リブが形成されていることを特徴とする。
請求項４に記載の発明は、上記構成において、バッテリー装着部には、制御回路基板が配置されており、制御回路基板と吸気口との間には、第２の仕切リブが形成されていることを特徴とする。
請求項５に記載の発明は、上記構成において、モータは、ステータと、ステータに対して回転可能なロータと、を有し、ロータの前方には、ファンが配置されており、排気口は、ファンの後方に配置されていることを特徴とする。
請求項６に記載の発明は、上記構成において、ハウジング内で第２の仕切リブの後側には、モータと制御回路基板とを電気的に接続するリード線の配線空間が形成されていることを特徴とする。
請求項７に記載の発明は、上記構成において、ハウジングは、モータを収容する筒状のモータ収容部を有すると共に、モータ収容部の後部に、ループ状のハンドルを連設してなり、ハンドルの下部にバッテリー装着部が配置されて、ハンドルにおけるモータ収容部とバッテリー装着部とを連結する連結部に、吸気口が形成されていることを特徴とする。
請求項８に記載の発明は、上記構成において、吸気口又は排気口は、ハウジングの前面に設けられる一方、ハウジングの前方にはガード板が装着されて、吸気口又は排気口の形成領域の少なくとも一部は、正面視でガード板で覆われていることを特徴とする。
請求項９に記載の発明は、上記構成において、バッテリー装着部には、バッテリーパックが装着されていることを特徴とする。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
ゲーム要素が登場する第１のゲームのプレイ体験を提供するゲーム装置であって、
前記第１のゲームに係る処理を実行する実行手段と、
前記第１のゲームに登場する操作対象のゲーム要素に対して、操作入力を受け付ける操作手段と、
前記ゲーム装置と、サーバに接続して前記操作対象のゲーム要素を使用した第２のゲームのプレイ体験を提供可能な通信端末との間で、前記操作対象のゲーム要素に係る情報の送受信が可能に構成された通信手段と、
を備え、
前記第２のゲームは、
複数のゲーム要素であって、同時間帯に前記サーバに接続してゲームプレイが行われている複数の前記通信端末のそれぞれに対応した前記複数のゲーム要素が登場し、
前記操作対象のゲーム要素と所定の関係が構築されるゲーム要素が、前記複数のゲーム要素のうちの前記操作対象のゲーム要素を除いた他のゲーム要素から選択され得るゲームであり、
前記実行手段は、前記操作対象のゲーム要素といずれかのゲーム要素との間に前記所定の関係が構築されたことに応じて、前記第１のゲームの進行を異ならせるゲーム装置。
【請求項２】
前記通信手段はさらに、同一の種別の他のゲーム装置との間で、前記操作対象のゲーム要素に係る情報の送受信が可能に構成され、
前記第１のゲームは、前記他のゲーム装置に対応するゲーム要素が、前記操作対象のゲーム装置と前記所定の関係が構築されるゲーム要素として選択され得るゲームである請求項１に記載のゲーム装置。
【請求項３】
前記通信手段は、前記通信端末との間で情報の送受信を行う場合と前記他のゲーム装置との間で情報の送受信を行う場合とで、通信方式を異ならせる請求項２に記載のゲーム装置。
【請求項４】
前記所定の関係が構築されるゲーム要素が選択された場合に、当該ゲーム要素と前記操作対象のゲーム要素とについて前記所定の関係を構築させるか否かの入力を受け付ける受付手段をさらに備え、
前記受付手段により前記所定の関係を構築させる入力が受け付けられた場合に、前記選択されたゲーム要素と前記操作対象のゲーム要素とについて前記所定の関係が構築される請求項１乃至３のいずれか１項に記載のゲーム装置。
【請求項５】
前記所定の関係は、ゲーム要素間の婚姻関係を含む請求項１乃至４のいずれか１項に記載のゲーム装置。
【請求項６】
前記実行手段は、前記操作対象のゲーム要素といずれかのゲーム要素との間に婚姻関係が構築されたことを条件として、前記第１のゲームに、前記操作対象のゲーム要素とともに新たなゲーム要素を登場させる請求項５に記載のゲーム装置。
【請求項７】
前記第１のゲームは、前記操作対象のゲーム要素に代えて、前記新たなゲーム要素を操作対象に変更することが可能に構成される請求項６に記載のゲーム装置。
【請求項８】
前記新たなゲーム要素の外観は、前記操作対象のゲーム要素及び当該操作対象のゲーム要素と婚姻関係が構築されたゲーム要素の外観の少なくとも一部を含む請求項６または７に記載のゲーム装置。
【請求項９】
コンピュータを、請求項１乃至８のいずれか１項に記載のゲーム装置として機能させるためのプログラム。
【請求項１０】
ゲーム要素が登場する第１のゲームのプレイ体験を提供するゲーム装置と、サーバに接続して前記ゲーム要素を使用した第２のゲームのプレイ体験を提供する通信端末とで構成されるゲームシステムであって、
前記ゲーム装置は、
前記第１のゲームに係る処理を実行する第１の実行手段と、
前記第１のゲームに登場する操作対象のゲーム要素に対して、操作入力を受け付ける第１の操作手段と、
前記ゲーム装置と前記通信端末との間で、前記操作対象のゲーム要素に係る情報の送受信が可能に構成された第１の通信手段と、
を備え、
前記通信端末は、
前記ゲーム装置との間で、前記操作対象のゲーム要素に係る情報の送受信が可能に構成された第２の通信手段と、
前記第２の通信手段により受信された前記操作対象のゲーム要素に係る情報に基づいて、前記第２のゲームに係る処理を実行する第２の実行手段と、
前記操作対象のゲーム要素に対して、前記第２のゲームに係る操作入力を受け付ける第２の操作手段と、
を備え、
前記第２のゲームは、
複数のゲーム要素であって、同時間帯に前記サーバに接続してゲームプレイが行われている複数の前記通信端末のそれぞれに対応した前記複数のゲーム要素が登場し、
前記操作対象のゲーム要素と所定の関係が構築されるゲーム要素が、前記複数のゲーム要素のうちの前記操作対象のゲーム要素を除いた他のゲーム要素から選択され得るゲームであり、
前記第１の実行手段は、前記操作対象のゲーム要素といずれかのゲーム要素との間に前記所定の関係が構築されたことに応じて、前記第１のゲームの進行を異ならせるゲームシステム。
【手続補正２】
【補正対象書類名】明細書
【補正対象項目名】０００６
【補正方法】変更
【補正の内容】
【０００６】
本発明のゲーム装置は、第１の種別のゲーム要素が登場する第１のゲームのプレイ体験を提供するゲーム装置であって、第１のゲームに係る処理を実行する実行手段と、第１のゲームに登場する第１の種別のゲーム要素である操作対象のゲーム要素に対して、操作入力を受け付ける操作手段と、操作対象のゲーム要素の第１のゲームにおける状態を判定する判定手段と、ゲーム装置と同一の種別のゲーム装置との間、及び第１の種別のゲーム要素を使用した第２のゲームのプレイ体験を提供可能な第１の通信端末との間で、操作対象のゲーム要素に係る情報の送受信が可能に構成された通信手段と、通信手段を制御する制御手段と、を備え、操作対象のゲーム要素に係る情報の送受信がなされた際の、ゲーム装置または同一の種別のゲーム装置においてプレイ体験が提供される第１のゲーム、及び第１の通信端末においてプレイ体験が提供される第２のゲームは、該送受信が行われる前の第１のゲームにおける操作対象のゲーム要素が、第１の状態で登場するゲームであり、制御手段は、第１のゲームにおける操作対象のゲーム要素の状態が第１の状態である場合に、通信手段を通信可能な状態に制御し、第１のゲームにおける操作対象のゲーム要素の状態が第１の状態とは異なる第２の状態である場合に、通信手段を通信不可能な状態に制御する。
また本発明の別の態様に係るゲーム装置は、ゲーム要素が登場する第１のゲームのプレイ体験を提供するゲーム装置であって、第１のゲームに係る処理を実行する実行手段と、第１のゲームに登場する操作対象のゲーム要素に対して、操作入力を受け付ける操作手段と、ゲーム装置と、サーバに接続して操作対象のゲーム要素を使用した第２のゲームのプレイ体験を提供可能な通信端末との間で、操作対象のゲーム要素に係る情報の送受信が可能に構成された通信手段と、を備え、第２のゲームは、複数のゲーム要素であって、同時間帯にサーバに接続してゲームプレイが行われている複数の通信端末のそれぞれに対応した複数のゲーム要素が登場し、操作対象のゲーム要素と所定の関係が構築されるゲーム要素が、複数のゲーム要素のうちの操作対象のゲーム要素を除いた他のゲーム要素から選択され得るゲームであり、実行手段は、操作対象のゲーム要素といずれかのゲーム要素との間に所定の関係が構築されたことに応じて、第１のゲームの進行を異ならせる。
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
ノズルから液体を噴射する液体噴射部と、
液体を吸収するように構成されるワイピング部材により前記ノズルが複数配置されたノ
ズル面をワイピングするワイピング機構と、
ワイピング液を前記ワイピング部材に供給するワイピング液供給機構と、
前記ノズル面を前記ワイピング部材でワイピングする際に前記液体噴射部と前記ワイピ
ング部材とを相対移動させる相対移動機構と、を備え、
前記ワイピング部材がワイピング液を吸収した状態で前記ノズル面をワイピングする湿
潤ワイピングを実行するように構成され、
前記ノズル面を前記ワイピング部材によりワイピングする際の前記ワイピング液の供給
量を変更可能に構成されることを特徴とする液体噴射装置。
【請求項２】
前記ノズル面を前記ワイピング部材によりワイピングする際の前記ワイピング液の供給
量を液体噴射装置の状況に基づいて変更する制御部を備えることを特徴とする請求項１に
記載の液体噴射装置。
【請求項３】
前記ノズルからの液体の噴射状態を検出するように構成される検出部を備え、
前記制御部は、前記ノズル面を前記ワイピング部材によりワイピングする際の前記ワイ
ピング液の供給量を前記検出部による前記噴射状態の検出結果に基づいて変更することを
特徴とする請求項２に記載の液体噴射装置。
【請求項４】
前記ワイピング液供給機構と接続されたワイピング液収容部を備え、
前記ワイピング液供給機構は、前記ワイピング液収容部に収容される前記ワイピング液
を前記ワイピング部材に供給し、
前記制御部は、前記ノズル面を前記ワイピング部材によりワイピングする際の前記ワイ
ピング液の供給量を前記ワイピング液収容部に収容される前記ワイピング液の収容量に基
づいて変更することを特徴とする請求項２又は請求項３に記載の液体噴射装置。
【請求項５】
前記ワイピング液の供給量を変更するように操作される操作部を備えることを特徴とす
る請求項１から請求項４の何れか一項に記載の液体噴射装置。
【請求項６】
ノズルから液体を噴射することにより記録媒体に対して記録処理を実行する液体噴射部
と、
液体を吸収するように構成されたワイピング部材により前記ノズルが複数配置されたノ
ズル面をワイピングするワイピング機構と、
ワイピング液を前記ワイピング部材に供給するワイピング液供給機構と、
前記ノズル面を前記ワイピング部材によりワイピングする際に前記液体噴射部と前記ワ
イピング部材とを相対移動させる相対移動機構と、を備え、
前記ワイピング部材がワイピング液を吸収した状態で前記ノズル面をワイピングする湿
潤ワイピングを実行するように構成される液体噴射装置のメンテナンス方法であって、
前記湿潤ワイピングを実行する際の前記ワイピング液の供給量を液体噴射装置の状況に
基づいて変更することを特徴とする液体噴射装置のメンテナンス方法。
【請求項７】
前記記録処理中において前記ノズルから液体が噴射されていないときに前記湿潤ワイピ
ングを実行する際の前記ワイピング液の供給量を、前記記録処理を実行していないときに
前記湿潤ワイピングを実行する際の前記ワイピング液の供給量より少なくすることを特徴
とする請求項６に記載の液体噴射装置のメンテナンス方法。
【請求項８】
前記液体噴射装置は、前記ノズルからの液体の噴射状態を検出するように構成される検
出部を備え、
前記湿潤ワイピングを実行する際の前記ワイピング液の供給量を前記検出部による前記
噴射状態の検出結果に基づいて変更することを特徴とする請求項７に記載の液体噴射装置
のメンテナンス方法。
【請求項９】
前記湿潤ワイピングを実行した後に実行された前記検出部による前記噴射状態の検出結
果から前記噴射状態が異常であると推測される前記ノズルが、ワイピング開始側よりワイ
ピング終了側に多い場合、前記湿潤ワイピングを実行する際の前記ワイピング液の供給量
を前記噴射状態の検出を実行する前より多くする変更、及び前記液体噴射部と前記ワイピ
ング部材との相対移動速度を前記噴射状態の検出を実行する前より遅くする変更のうち、
少なくとも一方を実行することを特徴とする請求項８に記載の液体噴射装置のメンテナン
ス方法。
【請求項１０】
前記ワイピング液供給機構は、前記ワイピング液供給機構と接続されたワイピング液収
容部に収容される前記ワイピング液を前記ワイピング部材に供給し、
前記ワイピング液収容部に収容される前記ワイピング液の収容量が設定値より少ない場
合に前記ワイピング部材に供給される前記ワイピング液の供給量を、前記ワイピング液収
容部に収容される前記ワイピング液の収容量が前記設定値以上の場合に前記ワイピング部
材に供給される前記ワイピング液の供給量より少なくすることを特徴とする請求項６から
請求項９の何れか一項に記載の液体噴射装置のメンテナンス方法。
【請求項１１】
前記ワイピング液収容部に収容される前記ワイピング液の収容量が前記設定値より小さ
い第２設定値より少ない場合に、前記ワイピング液を供給しないで前記ノズル面を前記ワ
イピング部材によりワイピングする非湿潤ワイピングを実行し、前記非湿潤ワイピング動
作時における前記液体噴射部と前記ワイピング部材との相対移動速度は、前記ワイピング
液の収容量が前記設定値以上の場合に実行する前記湿潤ワイピング動作時における前記液
体噴射部と前記ワイピング部材との相対移動速度より遅いことを特徴とする請求項１０に
記載の液体噴射装置のメンテナンス方法。
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
液体供給源と接続されている共通液室と、
前記共通液室と接続され、液体を吐出するために利用されるエネルギーを発生するエネルギー発生素子を内部に備える圧力室と、
前記共通液室に接続され、液体の流れを発生させるように気泡を発生するポンプ素子を内部に備える発泡室と、
前記圧力室と前記発泡室とを接続している接続流路と、
を複数並列に配列して備える素子基板を有する液体吐出ヘッドであって、
前記エネルギー発生素子上には第一の耐キャビテーション膜が、前記ポンプ素子上には第二の耐キャビテーション膜が、それぞれ個別に設けられており、
前記第一の耐キャビテーション膜の膜厚と、前記第二の耐キャビテーション膜の膜厚とが、異なる膜厚であることを特徴とする液体吐出ヘッド。
【請求項２】
前記第一の耐キャビテーション膜の膜厚は、前記第二の耐キャビテーション膜の膜厚よりも厚い請求項１に記載の液体吐出ヘッド。
【請求項３】
前記第一の耐キャビテーション膜の膜厚は、前記第二の耐キャビテーション膜の膜厚よりも薄い請求項１に記載の液体吐出ヘッド。
【請求項４】
前記第二の耐キャビテーション膜は、前記ポンプ素子よりも前記接続流路の方向に延伸されている請求項１ないし３のいずれか一項に記載の液体吐出ヘッド。
【請求項５】
前記素子基板は、前記ポンプ素子よりも液体の流れる方向の下流側に電子素子をさらに備えており、
前記電子素子上に第三の耐キャビテーション膜をさらに有する請求項１ないし４のいずれか一項に記載の液体吐出ヘッド。
【請求項６】
液体供給源と接続されている共通液室と、
前記共通液室と接続され、液体を吐出するために利用されるエネルギーを発生するエネルギー発生素子を内部に備える圧力室と、
前記共通液室に接続され、液体の流れを発生させるように気泡を発生するポンプ素子を内部に備える発泡室と、
前記圧力室と前記発泡室とを接続している接続流路と、
を複数並列に配列して備える素子基板を有する液体吐出ヘッドであって、
前記エネルギー発生素子それぞれの上に第一の耐キャビテーション膜を個別に備え、
前記ポンプ素子それぞれの上には耐キャビテーション膜を設けないことを特徴とする液体吐出ヘッド。
【請求項７】
前記ポンプ素子よりも液体の流れる方向の下流に第二の耐キャビテーション膜を配置することを特徴とする請求項６に記載の液体吐出ヘッド。
【請求項８】
前記第二の耐キャビテーション膜の下部に電子素子を備えていることを特徴とする請求項７に記載の液体吐出ヘッド。
【請求項９】
前記第一の耐キャビテーション膜の膜厚は、前記第二の耐キャビテーション膜の膜厚よりも厚い請求項７に記載の液体吐出ヘッド。
【請求項１０】
前記第一の耐キャビテーション膜の膜厚は、前記第二の耐キャビテーション膜の膜厚よりも薄い請求項７に記載の液体吐出ヘッド。
【請求項１１】
前記第一の耐キャビテーション膜は、前記エネルギーを発生する素子よりも少なくとも前記接続流路の方向に延伸されている請求項１ないし１０のいずれか一項に記載の液体吐出ヘッド。
【請求項１２】
前記第一の耐キャビテーション膜は、前記エネルギーを発生する素子よりも少なくとも前記共通液室の方向に延伸されている請求項１ないし１０のいずれか一項に記載の液体吐出ヘッド。
【請求項１３】
前記第一の耐キャビテーション膜および前記第二の耐キャビテーション膜は、タンタルまたはイリジウムの金属膜である請求項１ないし５、または、請求項７ないし１０のいずれか一項に記載の液体吐出ヘッド。
【請求項１４】
前記第一の耐キャビテーション膜の膜種と、前記第二の耐キャビテーション膜の膜種とが、異なる膜種である請求項１ないし５、または、請求項７ないし１０のいずれか一項に記載の液体吐出ヘッド。
【請求項１５】
前記異なる膜種は、一層の構成の膜種と、積層構成の膜種とを含む請求項１４に記載の液体吐出ヘッド。
【請求項１６】
前記圧力室内の液体は、当該圧力室の外部との間で循環される請求項１ないし１５いずれか一項に記載の液体吐出ヘッド。
【請求項１７】
前記ポンプ素子によって、前記共通液室、前記発泡室、前記接続流路、前記圧力室の順に液体が流れる流れが生じる請求項１ないし１６のいずれか一項に記載の液体吐出ヘッド。
【請求項１８】
前記圧力室は、第一の端部が前記共通液室と接続され、第二の端部が前記接続流路と接続され、
前記発泡室は、第一の端部が前記共通液室と接続され、第二の端部が前記接続流路と接続されている請求項１ないし１７のいずれか一項に記載の液体吐出ヘッド。
【請求項１９】
前記ポンプ素子は、発熱抵抗素子である請求項１ないし１８のいずれか一項に記載の液体吐出ヘッド。
【手続補正２】
【補正対象書類名】明細書
【補正対象項目名】０００７
【補正方法】変更
【補正の内容】
【０００７】
本発明の一態様に係る液体吐出ヘッドは、液体供給源と接続されている共通液室と、前記共通液室と接続され、液体を吐出するために利用されるエネルギーを発生するエネルギー発生素子を内部に備える圧力室と、前記共通液室に接続され、液体の流れを発生させるように気泡を発生するポンプ素子を内部に備える発泡室と、前記圧力室と前記発泡室とを接続している接続流路と、を複数並列に配列して備える素子基板を有する液体吐出ヘッドであって、前記エネルギー発生素子上には第一の耐キャビテーション膜が、前記ポンプ素子上には第二の耐キャビテーション膜が、それぞれ個別に設けられており、前記第一の耐キャビテーション膜の膜厚と、前記第二の耐キャビテーション膜の膜厚とが、異なる膜厚であることを特徴とする。
【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
Ｔｉ、Ｐｄ、Ｐｔ、Ｚｒ、Ｘ（ＸはＮｉおよび／またはＣｏである）および不可避不純物を含有し、
全体を１００原子％とすると、
前記Ｐｄと前記Ｐｔとの合計：３５原子％より多く５５原子％未満、
前記Ｚｒ：０．１原子％以上１５原子％未満、および、
前記Ｘ：０．１原子％以上１５原子％未満
を満たし、残部が前記Ｔｉおよび前記不可避不純物である、高温形状記憶合金。
【請求項２】
前記Ｐｄと前記Ｐｔとが合わせて４５原子％以上５５原子％未満であり、残部が前記Ｔｉと前記不可避不純物とからなる合金に対して、
前記Ｔｉの一部が、前記Ｚｒで、全体組成に対して、０．１原子％以上１５原子％未満の範囲で置換され、
前記Ｐｄおよび／または前記Ｐｔの一部が、前記Ｘで、全体組成に対して、０．１原子％以上１５原子％未満の範囲で置換されている、請求項１に記載の高温形状記憶合金。
【請求項３】
永久歪みが０％である、請求項１または２に記載の高温形状記憶合金。
【請求項４】
マルテンサイト変態温度（マルテンサイト終了温度Ｍｆ）は、２００℃以上６００℃以下の温度範囲を満たす、請求項１〜３のいずれかに記載の高温形状記憶合金。
【請求項５】
前記Ｚｒは、２原子％以上１２原子％以下の範囲を満たす、請求項１〜４のいずれかに記載の高温形状記憶合金。
【請求項６】
前記Ｚｒは、３原子％以上１０原子％以下の範囲を満たす、請求項５に記載の高温形状記憶合金。
【請求項７】
前記Ｘは、２原子％以上１２原子％以下の範囲を満たす、請求項１〜６のいずれかに記載の高温形状記憶合金。
【請求項８】
前記Ｘは、３原子％以上１０原子％以下の範囲を満たす、請求項７に記載の高温形状記憶合金。
【請求項９】
前記Ｐｔは、５原子％以上４０原子％以下の範囲を満たす、請求項１〜８のいずれかに記載の高温形状記憶合金。
【請求項１０】
前記Ｐｔは、１５原子％より多く２７原子％以下の範囲を満たす、請求項９に記載の高温形状記憶合金。
【請求項１１】
前記Ｐｄは、１０原子％以上４５原子％以下の範囲を満たす、請求項１〜１０のいずれかに記載の高温形状記憶合金。
【請求項１２】
前記Ｐｄは、１８原子％以上２７原子％以下の範囲を満たす、請求項１１に記載の高温形状記憶合金。
【請求項１３】
変態温度以下においてＢ１９型斜方晶を有する、請求項１〜１２のいずれかに記載の高温形状記憶合金。
【請求項１４】
請求項１〜１３のいずれかに記載の高温形状記憶合金の製造方法であって、
少なくとも請求項１に記載の組成を満たすＴｉ、Ｐｄ、Ｐｔ、ＺｒおよびＸ（ＸはＮｉおよび／またはＣｏである）を含有する溶製材を、マルテンサイト変態温度以上のＢ２型立方晶領域の温度以上、前記高温形状記憶合金の液相を生じる温度より１００℃を下回る温度までの範囲内で熱処理するステップを包含する、方法。
【請求項１５】
前記熱処理するステップは、前記溶製材に２０％以上９０％以下の範囲の圧縮変形を施す、請求項１４に記載の方法。
【請求項１６】
前記熱処理した熱処理材を、５０ＭＰａ以上４００ＭＰａ以下の応力下で１０回以上加圧・熱サイクル試験を行うステップをさらに包含する、請求項１４または１５のいずれかに記載の方法。
【請求項１７】
前記熱処理するステップは、前記溶製材を、７００℃以上１３００℃以下の温度範囲で１５分以上２４時間以下の時間熱処理する、請求項１４〜１６のいずれかに記載の方法。
【請求項１８】
高温形状記憶合金を用いた高温形状記憶合金アクチュエータであって、
前記高温形状記憶合金は、請求項１〜１３のいずれかに記載の高温形状記憶合金である、アクチュエータ。
【請求項１９】
アクチュエータを備えたエンジンであって、
前記アクチュエータは、請求項１８に記載の高温形状記憶合金アクチュエータである、エンジン。
【請求項２０】
前記エンジンは、ジェットエンジン、自動車用エンジン、船舶用エンジンおよび飛翔体用エンジンからなる群から選択される、請求項１９に記載のエンジン。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
内燃機関の吸気通路又は排気通路に設置され、排気を含むガスと冷媒との間で熱を移動させる熱交換器であって、
前記ガスが流通するガス通路と、
前記冷媒が流通する冷媒通路と、を備え、
前記ガス通路内の前記ガスと接する部分の一部に、撥水処理が施された部分である撥水部が形成され、
前記ガス通路内の前記ガスと接する部分のうち、前記撥水部とは異なる部分であって、かつ、前記熱交換器の作動中に前記撥水部よりも低温となる部分に、親水処理が施された部分である親水部が形成されている、
ことを特徴とする熱交換器。
【請求項２】
前記撥水部は、前記親水部よりも、前記ガス通路の前記ガスの流れの上流側に位置することを特徴とする請求項１に記載の熱交換器。
【請求項３】
前記撥水部は、前記親水部よりも、前記冷媒通路の前記冷媒の流れの下流側に位置することを特徴とする請求項１又は２に記載の熱交換器。
【請求項４】
前記ガス通路内に配置された放熱用のフィンを、更に備え、
前記撥水部と前記親水部とのそれぞれは、前記フィンの表面の、互いに異なる部分に形成されている、
ことを特徴とする請求項１〜３の何れか１項に記載の熱交換器。
【請求項５】
前記撥水部と前記親水部とのそれぞれは、前記ガス通路の内壁面の、互いに異なる部分に形成されていることを特徴とする請求項１〜４の何れか１項に記載の熱交換器。
【請求項６】
前記ガス通路は、前記熱交換器内に平行に配置された複数の管であって、
前記撥水部は、前記複数の管のうち一部の管の内壁面に形成され、
前記親水部は、前記複数の管のうち、前記撥水部が形成された管とは異なる他の一部の管に形成され、
前記親水部が形成された他の一部の管は、前記撥水部が形成された前記一部の管が配置される部分に比べて、前記熱交換器の作動中に低温となる部分に配置されている、
ことを特徴とする請求項１から３の何れか１項に記載の熱交換器。
【請求項７】
前記撥水部は、前記熱交換器が搭載された内燃機関の暖機後の運転中に、前記ガス通路の表面温度が基準温度以上になると推定される部分に形成されていることを特徴とする請求項１から６の何れか１項に記載の熱交換器。
【請求項８】
前記親水部は、前記熱交換器が搭載された内燃機関の暖機後の運転中に、前記ガス通路の表面温度が基準温度未満になると推定される部分に形成されていることを特徴とする請求項１から７の何れか１項に記載の熱交換器。
【手続補正２】
【補正対象書類名】明細書
【補正対象項目名】００３８
【補正方法】変更
【補正の内容】
【００３８】
一方、低温側では、特に、低温ラッカーや非固形物系のデポジットが多く生成される。これらのデポジットに対しては、水による溶解が有効となる。また、ガス通路表面とデポジットの間に水を浸透させることで、デポジットの剥離を促進することができる。従って、低温側では親水表面処理により親水膜３８を形成することで効果的にデポジットを消失することができる。
【手続補正３】
【補正対象書類名】明細書
【補正対象項目名】００６７
【補正方法】変更
【補正の内容】
【００６７】
２  エンジン
４  過給機
６  タービン
８  コンプレッサ
１０  吸気通路
１４  インタークーラ
２０  ＥＧＲ通路
２２  ＥＧＲクーラ
２４  バイパス通路
２６  バルブ
２８  ＥＧＲバルブ
３０  ハウジング
３１  冷媒入口
３２  冷媒出口
３３  冷媒通路
３３１  チューブ
３４  ガス通路
３５  フィン
３７  撥水膜
３８  親水膜
４１  素地
４２  下地コート
５０  ＥＧＲクーラ
５１、５２  ガス管
５３  冷媒入口
５４  冷媒出口
６０  インタークーラ
６１  冷媒入口
６２  冷媒出口
６３、６４  フィン
【手続補正書】
【提出日】令和3年8月31日(2021.8.31)
【手続補正１】
【補正対象書類名】特許請求の範囲
【補正対象項目名】全文
【補正方法】変更
【補正の内容】
【特許請求の範囲】
【請求項１】
回転軸を含む回転体と、前記回転体に取り付けられた羽根車と、前記回転体と前記回転体の少なくとも一部を収容するポンプケーシングと、を備えた立軸ポンプであって、
前記ポンプケーシング外に配置され、前記回転体を支持する第１のすべり軸受と、
前記ポンプケーシング外に配置され、前記回転体を支持する転がり軸受と、を備え、
前記第１のすべり軸受は、前記回転体の前記第１のすべり軸受と摺動する部分の直径以上の距離で前記転がり軸受から前記回転軸の軸方向に離間した位置に備えられ、
前記第１のすべり軸受の前記回転体との摺動面が、液体雰囲気にある状態で常時使用される、立軸ポンプ。
【請求項２】
請求項１に記載された立軸ポンプにおいて、
前記ポンプケーシング内に配置され、前記回転体を支持する第２のすべり軸受を有し、
前記第２のすべり軸受は、気中運転時に摺動面が大気雰囲気にある状態で使用される、立軸ポンプ。
【請求項３】
請求項２に記載された立軸ポンプにおいて、
複数の前記第２のすべり軸受を有する、立軸ポンプ。
【請求項４】
請求項１から３のいずれか一項に記載された立軸ポンプにおいて、
前記転がり軸受は、前記回転体のラジアル方向の荷重を支持するように構成されたラジアル転がり軸受を含む、立軸ポンプ。
【請求項５】
請求項４に記載された立軸ポンプにおいて、
前記回転体のスラスト方向の荷重を支持するように構成されたスラスト転がり軸受を有し、
前記第１のすべり軸受は、前記ラジアル転がり軸受と前記スラスト転がり軸受の間に位置している、立軸ポンプ。
【請求項６】
請求項１から５のいずれか一項に記載された立軸ポンプにおいて、
前記ポンプケーシングは、前記羽根車の上流側に空気管を備える、立軸ポンプ。
【手続補正書】
【提出日】令和3年9月9日(2021.9.9)
【手続補正１】
【補正対象書類名】明細書
【補正対象項目名】００１７
【補正方法】変更
【補正の内容】
【００１７】
【特許文献１】US 7,389,754 B2
【特許文献２】US 7,503,292 B2
【特許文献３】JP特開２００３−３５２０８号公報
【特許文献４】US 8,875,677 B2
【特許文献５】US 2013/0228152 A1
【特許文献６】US 6,328,288 B1
【特許文献７】JP特開２００１−３２９８４５号公報
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
レール材と、
前記レール材に連結される遮蔽材と、
前記遮蔽材が取り付けられて前記レール材に着脱可能であり、前記遮蔽材を前記レール材に連結する遮蔽材取付部材と、
前記遮蔽材取付部材の前記レール材からの脱落を防止する脱落防止部材と、
を備えたことを特徴とする、ブラインド。
【請求項２】
前記遮蔽材は、前記遮蔽材取付部材と前記脱落防止部材との間に挟着された状態で、前記遮蔽材取付部材に取り付けられることを特徴とする、請求項１に記載のブラインド。
【請求項３】
遮蔽材は、断面多角形の筒状のセルが上下方向に連結されるハニカムスクリーンであり、
前記ハニカムスクリーンは、端部近傍の少なくとも２か所において前記レール材に連結され、
前記連結された一の箇所は、前記遮蔽材取付部材で前記レール材に連結され、前記連結された他の一の箇所は、前記脱落防止部材を介して前記レール材に連結されることを特徴とする、請求項１又は２に記載のブラインド。
【請求項４】
遮蔽材は、複数のプリーツが上下方向に畳み込み及び展開可能に形成されるプリーツスクリーンであり、
前記プリーツスクリーンは、端部近傍の少なくとも２か所において前記レール材に連結され、
前記連結された一の箇所は、前記遮蔽材取付部材で前記レール材に連結され、前記連結された他の一の箇所は、前記脱落防止部材を介して前記レール材に連結されることを特徴とする、請求項１又は２に記載のブラインド。
【請求項５】
レール材と、
前記レール材に連結される遮蔽材と、
前記遮蔽材が取り付けられて前記レール材に着脱可能であり、前記遮蔽材を前記レール材に連結する遮蔽材取付部材と、
を備え、
前記遮蔽材は、前記遮蔽材取付部材に挟着された状態で取り付けられることを特徴とする、ブラインド。
【請求項６】
前記遮蔽材取付部材の前記レール材からの脱落を防止する脱落防止部材をさらに設けたことを特徴とする、請求項５に記載のブラインド。
【請求項７】
前記遮蔽材取付部材には、弾性変形して前記レール材からの脱落を防止する弾性部が形成されていることを特徴とする、請求項５又は６に記載のブラインド。
【請求項８】
前記遮蔽材は、断面多角形の筒状のセルが上下方向に連結されて畳み込み及び展開可能に形成されるハニカムスクリーンであり、
前記遮蔽材取付部材は、前記セル内に配置されて前記セルの一部を挟着することを特徴とする、請求項５〜７のいずれかに記載のブラインド。
【請求項９】
前記遮蔽材は、複数のプリーツが上下方向に畳み込み及び展開可能に形成されるプリーツスクリーンであり、
前記プリーツスクリーンの一端が前記遮蔽材取付部材に挟着されることを特徴とする、請求項５〜８のいずれかに記載のブラインド。
【請求項１０】
前記遮蔽材取付部材は、前記レール材に上下方向から着脱可能であることを特徴とする、請求項１〜９のいずれかに記載のブラインド。
【手続補正書】
【提出日】令和3年10月12日(2021.10.12)
【手続補正１】
【補正対象書類名】明細書
【補正対象項目名】００２０
【補正方法】変更
【補正の内容】
【００２０】
図４を参照して説明を続けると、上窓枠部材４と共に連結片２を出荷する際には、連結片２の基部１８を上窓枠部材４の外面１０上に載置して係止突起１２ａと係止突起１２ｂに配置し、図４に実線で示す非作用位置に位置付ける。この非作用位置おいては、基部１８の特定縁２４が係止突起１２ａ及び１２ｂの他方、即ち係止突起１２ｂ、によって規定される溝１４ｂの底面に当接せしめられる。そして、円形開口３０を通してねじ部材４０を上窓枠部材４に螺着し、弧状開口３２の片端部を通してねじ部材４２を上窓枠部材４に螺着し、そして更に開放開口３４の開放端から離隔するがこれに隣接した位置で上窓枠部材４にねじ部材４４を螺着し、かくして上窓枠部材４に連結片２を固定する。非作用位置に位置付けられた連結片２の延出部２２はその一部が係止突条１２ａ上に位置するが、係止突起１２ａを超えて延出することはなく、連結片２はその全体が上窓枠部材４の幅内に位置する。従って、連結片２、特にその延出部２２、によって阻害されることなく、連結片２が固定された多数の上窓枠部材４をコンパクトに集積して建設現場に搬送することができる。また、連結片２を上窓枠部材４に連結するためのねじ部材４０、４２及び４４は上窓枠部材４に螺着された状態で建設現場に搬送されるので、ねじ部材４０、４２及び４４を紛失してしまう虞がない。
【手続補正２】
【補正対象書類名】明細書
【補正対象項目名】００２３
【補正方法】変更
【補正の内容】
【００２３】
２：連結片
４：上窓枠部材（窓枠部材）
６：まぐさ（矩形固定枠）
１０：上窓枠部材の外面
１２ａ：係止突起
１２ｂ：係止突起
１４ａ：溝
１４ｂ：溝
１８：基部
２０：起立部
２２：延出部
２４：特定縁
２６：隣接縁
２８：対向縁
３０：円形開口
３２：弧状開口
３４：開放開口
３６：エンボス
３８：円形開口
【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
エアクリーナ（１０）であって、
本体部（１１）であって、前記本体部に空気を導入するための吸気部（１７）と、空気流量検出装置（４０）を装着するための装着部（１９）を有し、導入された空気を前記本体部から排出するための管状の排気部（１８）とを備える、前記本体部と、
前記本体部の内面において、前記排気部に向かって延伸して形成されているリブ（２０）と、
前記装着部よりも前記本体部側における前記排気部の内壁に、前記リブの延伸方向と同方向に延伸して形成されている整流部（５０）と、を備えるエアクリーナ。
【請求項２】
請求項１に記載のエアクリーナにおいて、
前記リブは複数形成されており、
前記整流部は、前記リブの最も外側に位置する２つの前記リブの間において、空気の流れ方向における複数の前記リブの下流端と前記整流部の上流端とが、近接するように形成されている、エアクリーナ。
【請求項３】
請求項１または２に記載のエアクリーナにおいて、
前記整流部は、前記排気部において前記リブと対向する側に形成されている、エアクリーナ。
【請求項４】
請求項１または２に記載のエアクリーナにおいて、
前記整流部は、前記排気部において、前記リブと同一の側に形成されている、エアクリーナ。
【請求項５】
請求項１から４のいずれか一項に記載のエアクリーナにおいて、さらに、
前記本体部の内部に、フィルタエレメント（３０）を備え、
前記排気部が形成されている前記本体部の壁面の内面と前記排気部の上流端との距離ＤＬと、前記フィルタエレメントと前記排気部の上流端との距離ＤＨは、（ＤＬ２／ＤＨ）＞＝４００の関係を満たすように設定されている、エアクリーナ。
【手続補正２】
【補正対象書類名】明細書
【補正対象項目名】０００９
【補正方法】変更
【補正の内容】
【０００９】
本体部１１は、中空箱型形状を有し、空気導入側に位置するエアクリーナケース１２および空気排出側に位置するエアクリーナキャップ１３を備えている。エアクリーナケース１２は、矩形状の平面１２ａと平面１２ａの４辺と接続されている４つの側面と、４つの側面によって規定される矩形状の開口部１２ｆとを備えている。「４つの側面」には、図１に示す１２ｂ、１２ｃが含まれる。吸気部１７は、４つの側面の内の１つの側面１２ｃに形成されており、空気を本体部１１の内面に導入する。エアクリーナケース１２は、開口部１２ｆを介してエアクリーナキャップ１３と接続されている。
【手続補正３】
【補正対象書類名】明細書
【補正対象項目名】００１０
【補正方法】変更
【補正の内容】
【００１０】
エアクリーナキャップ１３は、矩形状の平面１３ａと平面１３ａの４辺と接続されている４つの側面と、４つの側面によって規定される矩形状の開口部１３ｆとを備えている。「４つの側面」には、図１に示す１３ｂ、１３ｃが含まれる。排気部１８は、４つの側面の内の１つの側面１３ｂに形成されており、吸入した空気を本体部１１から外部に排出する。エアクリーナキャップ１３は、開口部１３ｆを介してエアクリーナケース１２と接続される。エアクリーナキャップ１３の平面１３ａには、排気部１８に向かって延伸する補強用のリブ２０が複数形成されている。
【手続補正４】
【補正対象書類名】明細書
【補正対象項目名】００１５
【補正方法】変更
【補正の内容】
【００１５】
整流部５０は、リブ２０の延伸方向と略平行に形成されている。整流部５０は、複数のリブ２０の幅方向、すなわち、空気導出口１６ｂの近傍における空気流れに直交する方向において、最も外側に位置する２つのリブ２０ａと２０ｃの間に位置するように形成されている。整流部５０は、空気導出口１６ｂの近傍における空気の流れ方向における複数のリブ２０の内の１つのリブ２０ｂの下流端２０ｂ１と整流部５０ｂの上流端５０ｂ１とが、近接するように配置されている。整流部５０ｂは、複数のリブ２０の内の１つのリブ２０ｂの下流端２０ｂ１と整流部５０ｂの上流端５０ｂ１とが幅方向に一致するように形成されていることが望ましい。この場合には、より高い整流効果を得ることができる。
【手続補正５】
【補正対象書類名】図面
【補正対象項目名】図４
【補正方法】変更
【補正の内容】
【図４】
2020084921.tif 000001
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
チェーンに摺接する摺接面及びボス部を有するレバーと、
前記ボス部に嵌挿されるコイル部、該コイル部の一端から延びる固定側支持腕及び該コイル部の他端から延びるレバー側支持腕を有するねじりコイルばねと、を備え、
前記レバー側支持腕は、前記レバーに設けられた当て面に当接して、前記ねじりコイルばねの付勢力を前記レバーに作用させ、前記摺接面を介して前記チェーンに張力を付与し、
前記固定側支持腕は、前記コイル部の軸線方向に延設されると共に、固定部材である当て部に当接して前記固定側支持腕を前記当て部に対して保持する保持部と、係止部と、前記保持部の延設方向と交差する方向に延設された押し部とを備え、
前記レバーは、前記係止部を収納するばね収納部と、該ばね収納部に収納された係止部を付勢力が作用した状態で係止する係合部と、を備え、
前記押し部に押圧力を作用することにより、前記係止部を前記ばね収納部から外して前記係合部との係止を解除する、
ことを特徴とするチェーン用テンショナ。
【請求項２】
前記チェーン及び前記チェーン用テンショナは、チェーンケースに収納され、該チェーンケースの開放部を蓋するケースカバーに解除用突起を設け、
前記チェーンケースを前記ケースカバーで蓋する際、前記解除用突起が前記押し部を押圧して前記係合部による前記係止部の係止を解除する、
請求項１記載のチェーン用テンショナ。
【請求項３】
前記固定部材である当て部は、前記押し部の押圧方向と反対側に向けて下り勾配となるテーパ面と、該テーパ面の下端に連続して配置された平坦なばね当て面とを有する、
請求項１又は２記載のチェーン用テンショナ。
【請求項４】
前記係止部は、前記コイル部から接線状に延びる直線部からなり、
前記ばね収納部は、直線状の前記係止部を収納する凹部からなり、
前記押し部は、前記係止部から折曲して前記係合部を越えて前記ばね収納部の反対側に延びてなる、
請求項１ないし３のいずれか１項記載のチェーン用テンショナ。
【請求項５】
前記係止部は、前記コイル部から接線状に延びる伸延部の先端を折曲して前記コイル部の軸線方向に延びる部分からなり、
前記ばね収納部は、前記摺接面を有する弓状部と前記ボス部とを連結する連結部における立上り面に形成されてなり、
前記押し部は、前記係合部を越えた前記係止部の先端を折曲して前記コイル部から離れる方向に延びる部分からなる、
請求項１ないし３のいずれか１項記載のチェーン用テンショナ。
【請求項６】
前記係合部は、前記ばね収納部のばね付勢側を覆うように突出した突出部からなり、
該係合部は、前記係止部の抜け方向側面が先端から前記コイル部方向に向って突出量が小さくなるように傾斜してなる、
請求項４記載のチェーン用テンショナ。
【手続補正２】
【補正対象書類名】明細書
【補正対象項目名】０００７
【補正方法】変更
【補正の内容】
【０００７】
本発明は、チェーン（５）に摺接する摺接面(１６）及びボス部（１５）を有するレバー（９）と、
前記ボス部（１５）に嵌挿されるコイル部（１８）、該コイル部の一端から延びる固定側支持腕（１７）及び該コイル部の他端から延びるレバー側支持腕（１９）を有するねじりコイルばね（１０）と、を備え、
前記レバー側支持腕（１９）は、前記レバー（９）に設けられた当て面（２１）に当接して、前記ねじりコイルばね（１０）の付勢力を前記レバー（９）に作用させ、前記摺接面（１６）を介して前記チェーン（５）に張力を付与し、
前記固定側支持腕は、前記コイル部の軸線方向に延設されると共に、固定部材である当て部に当接して前記固定側支持腕を前記当て部に対して保持する保持部と、係止部（１７ａ）（１７ａ２）と、前記保持部の延設方向と交差する方向に延設された押し部（１７ｃ）（１７ｃ２）とを備え、
前記レバー（９）は、前記係止部を収納するばね収納部（２２）（２２２）と、該ばね収納部に収納された係止部を付勢力が作用した状態で係止する係合部（２２ａ）（２２ａ２）と、を備え、
前記押し部（１７ｃ）（１７ｃ２）に押圧力（Ｆ）を作用することにより、前記係止部（１７ａ）（１７ａ２）を前記ばね収納部（２２）（２２２）から外して前記係合部（２２ａ）（２２ａ２）との係止を解除する、
ことを特徴とするチェーン用テンショナにある。